(57)【要約】 【解決手段】溝型の排気部と給気部との軒天井換気部材で、排気部の排気孔と給気部の給気孔が垂直方向に位置しない形態である。しかも、給気部の給気孔が給気部の底面にあたる下水平板の平坦部分をブリッジさせた隙間に形成される。【効果】従来より、軒天井の換気部材を使用した場合に給気孔、排気孔を通して屋内が見えることで外観上、見栄えが悪かった点を改善することができる。本発明の軒天井換気部材を使用した場合に給気孔と排気孔が垂直方向に開いていないため、真下よりみたとしても給気孔と排気孔を通して屋外から屋内への視界が遮断され、内部が見えない構造となる。また、ブリッジされた平坦部分やその両側の隆起部分により、斜め下方からも内部が見えない構造となるので外観がよい。【選択図】    図１
2007308964.tif 000002
【特許請求の範囲】
【請求項１】
溝型の排気部とこの上に所定の間隔を置いて配置される溝型の給気部とからなる軒天井換気部材であって、
排気部は、中水平板と、その両側から連続形成される連接板と、この連接板から各々連続形成される上水平板からなり、
給気部は、下水平板と、その両側方に直立形成される壁板と、各々の壁板から連続形成される受板からなり、
下水平板の表面側方若しくは壁板表面に不燃性体積膨張材を配置し、
前記連接板若しくは上水平板に排気孔を開孔し、
前記下水平板にはその幅に給気孔を開孔し、
この給気孔はその上方に位置する中水平板の幅方向長さよりも短いことを特徴とする軒天井換気部材。
【請求項２】
給気孔は、下水平板から上方に突出するようにブリッジ状に押し出し形成され、突出している両側の隆起部分及びブリッジ部分の平坦な部分と下水平板との隙間をスリット孔として形成されることを特徴とする請求項１に記載の軒天井換気部材。
【請求項３】
スリット孔の給気孔のブリッジ部分の平坦部分はその上方に位置する中水平板の幅方向長さよりも短いことを特徴とする請求項２に記載の軒天井換気部材。
【発明の詳細な説明】
【技術分野】
【０００１】
本発明は、軒天井板を天井板に取り付けるための合わせ部材であるとともに、屋内の湿気などを含んだ空気を屋外に排出するための換気構造を併せ持つ部材で、優れた外観を有する軒天井換気部材に関する。
【背景技術】
【０００２】
従来から軒天井用の通気金物は存在した（例えば、特許文献１参照）。
特許文献１は、水平上板から側板を連設して側板に排気穴を並列に穿設した断面がハット形状の金物である。
また、他の軒天井換気用縁材も存在した(例えば、特許文献２参照)。
特許文献２は、見切り縁材の下を開孔して換気口とし、通気路を確保するものであった。
【０００３】
【特許文献１】特開２００５−２５６４４４号公報(第１頁、第１図)
【特許文献２】特開２００３−２７６５２号公報(第１頁、第１図)
【発明の開示】
【発明が解決しようとする課題】
【０００４】
特許文献１に記載の発明では、両起立部の間が排気孔となるが、排気孔の垂直方向に換気穴が開孔されている。このように垂直方向に換気穴が形成されていると、天井用通気金物を使用したときに、屋外から排気孔、換気穴を通して天井裏が見えることになってしまう。屋外から軒天井内が見えてしまうことは外観上、非常に悪かった。
【０００５】
また、特許文献２に記載の発明では、確かに換気口から通気路が垂直方向になっていない。だが、換気用縁材からの給気口が開放されているため、傾斜方向から見たときに天井裏が見えてしまい、これも外観上悪かった。
【０００６】
そこで、本発明は、排気孔から給気孔を通して、屋外から天井裏が見えることがなく、使用時に見栄えがよい軒天井換気部材を提供する。
【課題を解決するための手段】
【０００７】
本発明は、溝型の排出部とこの上に所定の間隔を置いて配置される溝型の給気部とからなる軒天井換気部材であって、排出部は、中水平板と、その両側から連続形成される連接板と、この連接板から各々連続形成される上水平板からなり、給気部は、下水平板と、その両側方に直立形成される壁板と、各々の壁板から連続形成される受板からなり、下水平板の表面側方若しくは壁板表面に不燃性体積膨張材を配置し、前記連接板若しくは上水平板に排出孔を開孔し、前記下水平板にはその幅に給気孔を開孔し、この給気孔はその上方に位置する中水平板の幅方向長さよりも短いことを特徴とするものである。
【０００８】
また、給気孔は、下水平板から上方に突出するようにブリッジ状に押し出し形成され、突出している両側の隆起部分及びブリッジ部分の平坦な部分と下水平板との隙間をスリット孔として形成されることが好ましい。
【０００９】
また、スリット孔の給気孔のブリッジ部分の平坦部分はその上方に位置する中水平板の幅方向長さよりも短いことが好ましい。
【発明の効果】
【００１０】
請求項１の発明により、本発明の軒天井換気部材を使用した場合に給気孔と排気孔が垂直方向に開いていないため、真下より見たとしても給気孔と排気孔を通して屋外から屋内への視界が遮断され、内部が見えない構造となる。内部が見えない構造となるので外観がよい。
従来より、軒天井の換気部材を使用した場合に給気孔、排気孔を通して屋内が見えることで外観上、見栄えが悪かった点を改善することができる。しかも、給気孔、排気孔が適宜開けられており、換気機能が落ちることがない。
【００１１】
請求項２の発明により、給気部の真下から見てもブリッジされた平坦部分が視界を遮断することにより、内方を見えなくすることができる。しかも、給気部の真下から幅方向にずれた斜め下方から給気孔を見ても、平坦部分をブリッジする隆起部分が視界を遮断することにより、給気孔、排気孔を通して内方をみることができない。これにより、本発明の軒天井換気部材は、屋外から屋内を見ることができなくなり、外観上優れたものとなる。
【００１２】
請求項３の発明により、内方が見えない状態で給気孔を最大限に開孔することができ、換気機能を向上させることができる。
給気孔の平坦部分の垂直方向に排気孔が位置しない形態である。給気孔の隆起部分の上方には排気孔の端部が位置することになる。隆起部がせり上がる形状を有するため、排気孔を通して内部が見えることはほとんどない。このため、請求項３に記載の発明においても軒天井換気部材を使用したときに給気孔から排気孔を通して屋外から屋内がみえてしまうことはない。よって、これにより、内方が見えない状態で換気機能を向上させることができる。
【実施例】
【００１３】
本発明の実施例を図面に沿って説明する。
図1は本発明の軒天井換気部材１の斜視図、図２は図１のＡ−Ａ線断面図、図３は本発明の使用状態を示す側面図、図４は本発明の排気部１１を示す斜視図、図５は本発明の給気部３１を示す斜視図、図８は本発明の第２実施例を示す斜視図、図９は本発明の第２実施例を示すＢ−Ｂ線断面図である。
【００１４】
図１に示すように本発明の軒天井換気部材１は排気部１１と給気部３１とを組み合わせるものである。図３に示すように軒天井換気部材１は垂直板材２と天井板材３とを接続するために配置される。軒天井換気部材１は家屋の壁となる垂直板材２と天井板材３との接続だけでなく、屋外の空気を給気して換気する。排気部１１には排気孔１２給気部３１には給気孔３２があり、この給気孔３２から給気した屋外の空気を、軒天井換気部材１の通気路４を通り、排気孔１２から屋内に排気することができる。
【００１５】
軒天井換気部材１は排気部１１と給気部３１を組み合わせたときに、排気部１１と給気部３２との間に通気路４が形成される。通気路４に不燃性の膨張材５を適宜配置する。不燃性膨張材５は一定温度を感知すると、膨張し通気路４を塞ぐ。これにより、本発明の軒天井換気部材１を使用し、屋内で火事などの場合、通気路を塞いで延焼を防ぐことができる。また、屋外からの給気を膨張材５により遮断できるので、屋内の火事に酸素の供給を遮断し、屋内の火事の拡大を防ぐことができる。
【００１６】
図４に示すように、軒天井換気部材１の排気部１１は、薄板の鋼板で形成される方形状の中水平板１３と、中水平板１３の幅方向の両側に連接板１４、１４が連続形成される。中水平板１３は水平方向に形成されるが、連続板１４、１４は中水平板１３から斜め上方に傾斜して連続形成されている。各々の連続板１４、１４の側方の中水平板側と反対側に上水平板１５、１５が連続形成される。上水平板１５、１５は水平方向に形成される。
つまり、排気部１１は、上水平板１５、１５に対し、中水平板１３、連続板１４、１４が溝状となるように形成されている。溝状の排気部１１は長手方向に適宜長さに形成される。
【００１７】
排気部１１の排気孔１２は連続板１４、１４に複数個連続して形成される。排気孔１２は図４に示すように、排気部１１の幅方向を長辺とするする方形状の形態となる。排気孔１２の長辺は１３．５ｍｍ程度であるのに対し、短辺は２ｍｍ程度である。
【００１８】
図５に示すように、軒天井換気部材１の給気部３１は、薄板の鋼板で形成された方形状の下水平板３３があり、その幅方向両側に直立に壁板３４、３４が連続形成される。各々の壁板３４、３４は下水平板側と反対側に受板３５、３５が連続形成される。下水平板３３、受板３５、３５は水平方向に形成される。
つまり、給気部３１も、受板３５、３５に対し、壁板３４、３４、下水平板３３が溝状になるように形成されている。
【００１９】
受板３５、３５は適宜長さで屈曲させた屈曲部３６、３６が形成される。屈曲部３６、３６は水平方向の受板３５、３５を約１８０度屈曲させている。屈曲部３６、３６は屈曲した内部に薄型鋼板が入るようなスペースを有する。図６に示すように、このスペースに排気部１１の上水平板１５、１５をスライドさせて入れることで排気部１１と給気部３１とを組み合わせることができる。
【００２０】
給気孔３２は下水平板３３に複数個形成される。給気孔３２は押し出し成型によりブリッジするように形成される。給気孔３２の平坦部分を押し出すものである。給気部３１の幅方向両側に切り込みが入っており、押し出された状態でブリッジの上側にあたる平坦部分３７と下水平板３３との間にスリット状に給気孔３２は形成される。
つまり、ブリッジ状に平坦部分３７がその両側の隆起部分３８、３８により隆起しており、隆起した高さ分だけ下水平板３３との間に給気孔が形成されることになる。
給気孔３２はブリッジした平坦部分３７と下水平板３３との間の切り込み部分に形成されるものであるため、図７に示すように給気部３１の真下から見ても、平坦部分３７が視界を遮断するので給気孔３２の内方が見えない形状となる。
【００２１】
排気部１１と給気部３１とを組み合わせた場合、排気部の排気孔１２は給気部の給気孔３２の垂直方向に位置しないように形成される。給気孔３２を押し出し形成してスリット状に形成した場合、真下から給気部３１の内方は見えないが給気部の下方から長手方向にずれた斜め下方からは内方が見える可能性がある。しかし、排気孔１２が給気孔の垂直方向に位置しないことで、給気部３１の斜め下方から排気孔１２を通して内方をみることが難しくなる。給気部３１の下方から幅方向にずれた斜め下方から見た場合は隆起部分３８が視界を遮断するので、この方向からも内方をみることができない。
軒天井換気部材１を使用時に至っては、換気をするための給気孔３２から排気孔１２を通して屋外から屋内がみえてしまうことが設置したときの外観が非常に悪かった。だが、本発明の排気孔１２と給気孔３２によると屋外から屋内への視界を遮断して見ることができなくなり、外観が良くなる。
【００２２】
本発明の第２実施例は、図８、９に示すように、給気孔３２の平坦部分３７の垂直方向に排気孔１２が位置しない形態である。給気孔３２の隆起部分３８、３８の上方には排気孔１２の端部が位置することになる。この場合、隆起部３８がせり上がる形状を有するため、排気孔１２を通して内部が見えることはほとんどない。これにより、内方が見えない状態で給気孔を最大限に開孔することができ、換気機能を向上させることができる。
【００２３】
本発明の第３実施例を図１０、図１１に示す。
第３実施例は、排気孔１２が連続板１４と上水平版１５とに連続して形成されている。  連続板１４が中水平板１３から上水平板１５にかけて連続して形成されているが、これが垂直方向に形成されている。しかも、排気孔１２が連続板１４、上水平板１５の一部にかけて開孔しているので、逆L字状に形成されることとなる。
この第３実施例も中水平板１３より給気孔３２の長さが短いので、給気孔を通して屋外から屋内が見えることがないように形成されている。
【００２４】
図３に示すように、本発明の取り付けは、一方の壁板３４と受板３５との外側が直角形状をしているので、この垂直板材配置部分３９に軒天井換気部材１の水平方向と直行する方向に垂直板材２を位置させて固定することができる。この垂直板材２が家屋の壁となる。
また、もう一方の下水平板３３を壁板３４から外方に延長する延長板４０を形成し、壁板３４の外側と延長板４０と受板３５との間に天井板材配置部分４１を形成する。この天井板材配置部分４１に、天井板材３を配置することにより天井板を固定することができる。
これにより、換気するとともに給気孔３２、排気孔１２を通して、屋外から屋内が見えることがないように視界を遮断した軒天井換気部材１を設置して壁に天井板を設置することができる。
【図面の簡単な説明】
【００２５】
【図１】図１は、本発明の一例を示す斜視図である。
【図２】図２は、図１のＡ−Ａ 線断面図である。
【図３】図３は、本発明の使用状態の一例を示す側面図である。
【図４】図４は、本発明の排気部の一例を示す斜視図である。
【図５】図５は、本発明の給気部の一例を示す斜視図である。
【図６】図６は、本発明の排気部と給気部とをスライドさせて組合わせる状態を示す斜視図である。
【図７】図７は、本発明の底面図である。
【図８】図８は、本発明の第２実施例を示す斜視図である。
【図９】図９は、図６のＢ−Ｂ線断面図である。
【図１０】図１０は、本発明の第３実施例を示す斜視図であり、排気部と給気部とをスライドさせて組合わせる状態を示す斜視図である。
【図１１】図１１は、図１１のＣ−Ｃ線断面図である。
【符号の説明】
【００２６】
１…軒天井換気部材
２…垂直板材
３…天井板材
４…通気路
５…不燃性膨張材
１１…排気部
１２…排気孔
１３…中水平板
１４…連続板
１５…上水平板
３１…給気部
３２…給気孔
３３…下水平板
３４…壁板
３５…受板
３６…屈曲部
３７…平坦部分
３８…隆起部分
３９…垂直板材配置部
４０…延長板
４１…天井板材配置部
【図１】
2007308964.tif 000003
【図２】
2007308964.tif 000004
【図３】
2007308964.tif 000005
【図４】
2007308964.tif 000006
【図５】
2007308964.tif 000007
【図６】
2007308964.tif 000008
【図７】
2007308964.tif 000009
【図８】
2007308964.tif 000010
【図９】
2007308964.tif 000011
【図１０】
2007308964.tif 000012
【図１１】
2007308964.tif 000013